(57)【要約】【課題】変更の対象となる画像データと同一又は類似である画像データを確実に検出し、編集を容易にするウェブサイト編集支援システム及び方法を提供する。【解決手段】ウェブサイトで使用されるコンテンツデータを格納し、コンテンツデータに含まれる複数の画像データの中から１つの画像データを選択して、選択された画像データをキー画像として、コンテンツデータに含まれる他の画像データとの間の包含関係及び画像サイズの関係を検出し、包含関係及び画像サイズの関係に基づいて両画像データ間の類似度を計算し、類似度が所定のしきい値よりも大きい画像データを検出して、検出された画像データを包含関係及び画像サイズの関係に基づいて管理することによって、選択された画像データに対する変更内容を、管理されている他の画像データに確実に反映させる。【選択図】  図１
2004334530.tif 000002
【特許請求の範囲】
【請求項１】
ウェブサイトで使用されるコンテンツデータを格納するコンテンツデータ格納部と、
前記コンテンツデータに含まれる複数の画像データの中から１つの画像データを選択する変更対象画像データ選択部と、
選択された前記画像データをキー画像として、前記コンテンツデータに含まれる他の画像データとの間の包含関係及び画像サイズの関係を検出し、前記包含関係及び画像サイズの関係に基づいて両画像データ間の類似度を計算する類似度算出部と、
前記類似度が所定のしきい値よりも大きい前記画像データを検出する画像データ検出部と、
検出された画像データを前記包含関係及び画像サイズの関係に基づいて管理する検索画像管理部とを含み、
選択された前記画像データに対する変更内容を、前記検索画像管理部で管理されている他の画像データにも反映させることを特徴とするウェブサイト編集支援システム。
【請求項２】
前記画像データ検出部において検出された画像データを、前記包含関係及び画像サイズの関係に基づいて分類して表示する検索画像表示部と、
分類されている画像データから１又は複数の変更対象画像データを選択する変更対象画像データ再選択部をさらに含み、
前記画像データ間の前記関係を確認しながら、変更範囲を選択することができる請求項１に記載のウェブサイト編集支援システム。
【請求項３】
前記類似度算出部において事前に任意のタイミングで計算された前記コンテンツデータ格納部に格納されている全画像データ間の類似度を格納する類似度格納部をさらに含み、
前記画像データ検出部において、前記類似度格納部に格納された全画像データ間の類似度を参照して、前記変更対象画像データ選択部において選択された前記画像データと類似度の高い画像を検出する請求項１又は２に記載のウェブサイト編集支援システム。
【請求項４】
ウェブサイトで使用されるコンテンツデータを格納する工程と、
前記コンテンツデータに含まれる複数の画像データの中から１つの画像データを選択する工程と、
選択された前記画像データをキー画像として、前記コンテンツデータに含まれる他の画像データとの間の包含関係及び画像サイズの関係を検出し、前記包含関係及び画像サイズの関係に基づいて両画像データ間の類似度を計算する工程と、
前記類似度が所定のしきい値よりも大きい前記画像データを検出する工程と、
検出された画像データを前記包含関係及び画像サイズの関係に基づいて管理する工程とを含み、
選択された前記画像データに対する変更内容を、管理されている他の画像データにも反映させることを特徴とするウェブサイト編集支援方法。
【請求項５】
ウェブサイトで使用されるコンテンツデータを格納するステップと、
前記コンテンツデータに含まれる複数の画像データの中から１つの画像データを選択するステップと、
選択された前記画像データをキー画像として、前記コンテンツデータに含まれる他の画像データとの間の包含関係及び画像サイズの関係を検出し、前記包含関係及び画像サイズの関係に基づいて両画像データ間の類似度を計算するステップと、
前記類似度が所定のしきい値よりも大きい前記画像データを検出するステップと、
検出された画像データを前記包含関係及び画像サイズの関係に基づいて管理するステップとを含むウェブサイト編集支援方法を具現化するコンピュータ実行可能なプログラムであって、
選択された前記画像データに対する変更内容を、管理されている他の画像データにも反映させることを特徴とするコンピュータ実行可能なプログラム。
【発明の詳細な説明】
【０００１】
【発明の属する技術分野】
本発明は、ウェブサイトで使用されるコンテンツデータに含まれる画像データを編集する場合に用いるウェブサイト編集支援システム及び方法に関する。
【０００２】
【従来の技術】
昨今のコンピュータ技術及び通信技術の急速な発展により、一般家庭においてもインターネットを容易に利用することができる環境が整備されつつある。インターネット上で運営される各サイトにおいても競争が激化しており、コンテンツが陳腐化する速度も日々増加している。したがって、サイト運営者は、一般ユーザの多様なニーズに応えるべく、適切なコンテンツの更新を頻繁に行わなければ広告効果等を期待通り得ることができない状況になりつつある。
【０００３】
かかる状況下において、サイト運営者が既存のサイトにおけるコンテンツに変更を加える場合、当該変更による影響範囲を事前に知っておくことが重要な要素の１つとなっている。すなわち、変更により生じる影響範囲を知ることにより、変更箇所の漏れを防止することができ、サイト全体における表現の統一性を維持することができる。
【０００４】
例えば、「資料請求」という表現と「カタログ請求」という表現が同じサイト内の異なるページにおいて同じ意味で使用されていると、当該サイトを閲覧する一般ユーザにとっては、別の情報を得られると思いアクセスしているのに、結果として同一の情報しか参照できないことになり、当該ユーザによる当該サイトへの継続的なアクセスを望めなくなるおそれが生じる。したがって、「カタログ請求」という表現を「資料請求」という表現に変更する場合には、該当するページ全てに対して変更作業を行う必要があり、その影響範囲を正確に把握しておく必要がある。
【０００５】
また、変更作業による影響範囲を正確に把握することにより、変更作業に要する工数を正確に見積もることができ、場合によっては、変更作業自体に優先順位付けを行うこともできる。
【０００６】
従来の著名なウェブサイト編集ツールとしては、マクロメディア社（Ｍａｃｒｏｍｅｄｉａ）によるドリームウィーバー（Ｄｒｅａｍｗｅａｖｅｒ）（Ｒ）、アドビ社によるゴーライブ（ＧｏＬｉｖｅ）（Ｒ）等が挙げられる。これらの編集ツールでは、ウェブサイト内におけるテキストデータに対してキーワード検索を行っている。すなわち、変更しようとしているテキストデータをキーワードとして、ウェブサイト内に含まれる全ファイルに対してキーワード検索を行うことにより、変更すべきファイルの一覧を得ることができ、１つのテキストデータを変更することによる影響範囲を正確に把握することができる。
【０００７】
【発明が解決しようとする課題】
しかしながら、上述したような既存のウェブサイト編集ツールでは、以下に示すような問題点があった。
【０００８】
まず、近年のウェブサイトには、テキストデータ以外に画像データが含まれているコンテンツが主流をなしており、しかも社名や製品名等のロゴマーク、あるいは特定の機能を表すアイコンやバナーによる広告等、ウェブサイト内に必ず画像データが何らかの形で用いられているのが実状である。
【０００９】
そして、これらの画像データについて変更を行う場合、その影響範囲を知るために、変更する画像データのファイル名を用いてキーワード検索を行う方法が良く用いられている。
【００１０】
しかし、社名や製品名等のロゴマークに複数のサイズがある場合や、ロゴマーク内の表示色に違いがある場合、あるいはより大きな画像データの中に部分画像として表示されている場合等、様々な表示形態が考えられ、一般にそれぞれの場合におけるファイル名が異なっていることから、ファイル名のみですべての影響範囲を知ることは困難であるという問題点があった。
【００１１】
また、ウェブサイトの実装状況によっては、全く同じ画像データに対して異なるファイル名が割り当てられている場合もあり、同一の画像データであっても検出することができない場合も考えられる。
【００１２】
本発明は、上記問題点を解決するために、変更の対象となる画像データと同一又は類似である画像データを確実に検出し、編集を容易にするウェブサイト編集支援システム及び方法を提供することを目的とする。
【００１３】
【課題を解決するための手段】
上記目的を達成するために本発明にかかるウェブサイト編集支援システムは、ウェブサイトで使用されるコンテンツデータを格納するコンテンツデータ格納部と、コンテンツデータに含まれる複数の画像データの中から１つの画像データを選択する変更対象画像データ選択部と、選択された画像データをキー画像として、コンテンツデータに含まれる他の画像データとの間の包含関係及び画像サイズの関係を検出し、包含関係及び画像サイズの関係に基づいて両画像データ間の類似度を計算する類似度算出部と、類似度が所定のしきい値よりも大きい画像データを検出する画像データ検出部と、検出された画像データを包含関係及び画像サイズの関係に基づいて管理する検索画像管理部とを含み、選択された画像データに対する変更内容を、検索画像管理部で管理されている他の画像データにも反映させることを特徴とする。
【００１４】
かかる構成により、画像データそのものを用いて同一又は類似である画像データを検索することにより、ウェブサイト内に存在する同一あるいは類似である画像データを漏れなく抽出することができるとともに、変更対象として選択された画像データに対する変更内容を他の画像データにも確実に反映させることができることから、変更作業における作業漏れを防止することが可能となる。
【００１５】
また、本発明にかかるウェブサイト編集支援システムは、画像データ検出部において検出された画像データを、包含関係及び画像サイズの関係に基づいて分類して表示する検索画像表示部と、表示されている画像データから変更対象画像データを選択する変更対象画像データ再選択部をさらに含み、画像データ間の関係を確認しながら、変更範囲を選択することができることが好ましい。
【００１６】
また、本発明にかかるウェブサイト編集支援システムは、類似度算出部において計算されたウェブサイトで使用されている全画像データ間の類似度を格納する類似度格納部をさらに含み、画像データ検出部において、類似度格納部に格納された全画像データ間の類似度を参照して、変更対象画像データ選択部において選択された画像データと類似度の高い画像を検出することが好ましい。事前に計算処理負荷の大きい類似度計算を行っておくことで、同一又は類似である画像データを抽出する処理負荷を軽減することができるからである。
【００１７】
また、本発明は、上記のようなウェブサイト編集支援システムの機能をコンピュータの処理ステップとして実行するソフトウェアを特徴とするものであり、具体的には、ウェブサイトで使用されるコンテンツデータを格納する工程と、コンテンツデータに含まれる複数の画像データの中から１つの画像データを選択する工程と、選択された画像データをキー画像として、コンテンツデータに含まれる他の画像データとの間の包含関係及び画像サイズの関係を検出し、包含関係及び画像サイズの関係に基づいて両画像データ間の類似度を計算する工程と、類似度が所定のしきい値よりも大きい画像データを検出する工程と、検出された画像データを包含関係及び画像サイズの関係に基づいて管理する工程とを含み、選択された画像データに対する変更内容を、管理されている他の画像データにも反映させるウェブサイト編集支援方法並びにそのような工程を具現化するコンピュータ実行可能なプログラムであることを特徴とする。
【００１８】
かかる構成により、コンピュータ上へ当該プログラムをロードさせ実行することで、画像データそのものを用いて同一又は類似である画像データを検索することにより、ウェブサイト内に存在する同一あるいは類似である画像データを漏れなく抽出することができるとともに、変更対象として選択された画像データに対する変更内容を他の画像データにも確実に反映させることができることから、変更作業における作業漏れを防止することができるウェブサイト編集支援システムを実現することが可能となる。
【００１９】
【発明の実施の形態】
以下、本発明の実施の形態にかかるウェブサイト編集支援システムについて、図面を参照しながら説明する。図１は本発明の実施の形態にかかるウェブサイト編集支援システムを用いたウェブサイト編集システムの全体構成図である。図１において、破線で囲まれた部分が実施の形態にかかるウェブサイト編集支援システムの構成部を示している。
【００２０】
図１において、ウェブサーバ２１には、ウェブサイトのコンテンツデータが格納されている。そして、インターネット２２を介して一般ユーザが用いるユーザ端末２３に対してウェブサービスを提供している。
【００２１】
一方、コンテンツデータ格納部１７には、ウェブサーバ２１内に含まれているコンテンツデータと同一のコンテンツデータが格納されている。これは、画像データ編集部２４において、ウェブサーバ２１にアップロードされている画像データを直接変更するのではなく、一旦他の環境上においてコンテンツデータを確認してからアップロードするようにするためである。
【００２２】
したがって、サイト編集者が、画像データ編集部２４を介して所定の画像データに対して編集を行うと、まずコンテンツデータ格納部１７に保存されているコンテンツデータが変更される。変更されたコンテンツデータは、サイト編集者の操作により、適当なタイミングでウェブサーバ２１にアップロードされる。
【００２３】
画像データの変更作業は、以下の処理を行ってから実行される。まずサイト編集者は、変更対象画像データ選択部１１において、変更作業の対象となる画像データを選択する。選択された画像データが、サイト内の同一あるいは類似である画像データ検索の際のキー画像となる。
【００２４】
そして、類似度計算部１２において、選択された画像データと、サイト内に存在するその他の全ての画像データとの類似度を計算する。類似度の計算においては、包含関係とサイズの関係を同時に検出する。
【００２５】
まず、サイズの関係を検出する場合、以下の方法が可能である。
【００２６】
１．選択されたキー画像Ａを多段階に拡大縮小した画像を用意する。
【００２７】
２．多段階に拡大縮小したそれぞれの画像と検索対象画像Ｂとの類似度を計算する。
【００２８】
３．類似度の最大値をキー画像Ａと検索対象画像Ｂの類似度とし、その際のサイズの関係（倍率等）をキー画像Ａと検索対象画像Ｂのサイズの関係とする。
【００２９】
検索対象画像を多段に変化させても構わないが、キー画像を変化させた方がより効率が良い。
【００３０】
次に、包含関係を検出する場合、以下の方法が可能である。
【００３１】
１．キー画像Ａと検索対象画像Ｂの小さい方を画像Ｓ、大きい方を画像Ｌとする。
【００３２】
２．画像Ｌから画像Ｓの大きさの画像を順次切り出しながら、類似度を計算する。
【００３３】
３．類似度の最大値をキー画像Ａと検索対象画像Ｂの類似度とし、その際の包含関係（Ｓ＝Ａならキー画像は検索対象画像に含まれる、Ｓ＝Ｂならキー画像は検索対象画像を含む）を、キー画像Ａと検索対象画像Ｂの包含関係とする。
【００３４】
また、上記の２つの方法を組み合わせることによって、包含関係とサイズの関係を同時に検出することが可能である。
【００３５】
類似度の計算方法自体については特に限定されるものではなく、様々な方法が考えられる。例えば、画素値そのものを用いた単純な距離計算も考えられるし、あるいはモーメント特徴、フーリエ係数、ＤＣＴ係数等、様々な特徴量を用いた計算方法も考えられる。
【００３６】
また、同一あるいは類似である画像データであっても、色彩の異なる画像データについては、エッジを抽出する、あるいは色彩に左右されない特徴量を用いる等の工夫が必要となる。
【００３７】
そして、類似度計算部１２において計算された類似度は、どの画像データ間の類似度を計算した値であるのかを示す情報と一対のデータとして、類似度格納部１３に保存される。すなわち、当該サイト内にｎ個（ｎは自然数）の画像データが含まれている場合、ｎ個の中から２個を選択する組合せ数ｎＣ２個の類似度計算値が類似度格納部１３に保存される。
【００３８】
そして、画像データ抽出部１４で、類似度格納部１３に保存されている類似度の計算値を参照して、所定のしきい値よりも大きい類似度を有する画像データを、選択された画像データと同一の画像データ、あるいは類似する画像データであるものと判断して抽出する。
【００３９】
抽出された画像データは、検索画像管理部１５において、キー画像として選択された画像データのサイズと類似度計算の対象となる画像データとの間の画像サイズの関係、及び両者の包含関係に基づいて分類されて保存される。
【００４０】
図２に、本発明の実施の形態にかかるウェブサイト編集支援システムにおける検索画像管理部１５の保存データ構成の例示図を示す。図２に示すように、キー画像であるｘｘｘ／Ｆｕｊｉ．ｊｐｇの画像データに対して、コンテンツ格納部１７に含まれている全ての画像データについて画像サイズの関係及び包含関係を検出する。本例においては、画像サイズの関係は同一サイズの画像データを「同サイズ」、キー画像よりも小さい画像データを「縮小」、大きい画像データを「拡大」として分類している。また、包含関係については、それぞれ「包含関係なし」、「キー画像を含む」、「キー画像に含まれる」の３つのカテゴリに分類している。「包含関係なし」には、画像が同一である場合の他、キー画像を拡大・縮小すると同一である場合も含む。各々の項目に表示されている件数が、当該コンテンツ格納部１７に含まれている同一又は類似である画像データの件数を示している。
【００４１】
このようにしておくことで、画像データ編集部２４を介してキー画像として選択された画像データに対して編集を行う場合、当該編集内容を抽出された画像データとして保存されている他の画像データ全てに対して確実に反映させることが可能となる。
【００４２】
そして、検索画像表示部１６においてディスプレイ等の表示装置を介して抽出された画像データを表示出力することもできる。表示出力の対象としては、画像データそのものである必要はなく、抽出されたファイル名を表示出力するものであっても良い。抽出された画像データが表示出力されることで、例えば変更対象画像データ再選択部（図示せず）を設けることで、編集内容を反映させるべき画像データを改めて指定することも可能となる。
【００４３】
また、類似度計算の計算処理負荷が過大である場合、リアルタイムで類似度を算出することが困難になる場合も考えられる。コンテンツデータ内に含まれる画像データの数あるいは大きさが過大である場合等である。このような場合であっても円滑に画像データ変更作業を行うために、任意のタイミングで全ての画像データ間の類似度を計算しておく方法が考えられる。例えば、新しいコンテンツを作成するごとに類似度を計算するものであっても良い。
【００４４】
図３は、事前に画像データ間の類似度を計算しておく場合のウェブサイト編集支援システムの構成図である。図３に示すように、類似度計算部１２においてコンテンツデータに含まれる全ての画像データ間の類似度を事前に計算しておき、類似度格納部１３に、どの画像データ間の類似度を計算した値であるのかを示す情報と一対のデータとして類似度を保存しておく。
【００４５】
そして、変更の対象となる画像データが選択されたら、画像データの類似度を計算するのではなく、類似度格納部１３に保存されている類似度を選択された画像データをキー画像として照会することで、コンテンツデータに含まれている他の画像データとの間の類似度を抽出することができる。
【００４６】
このように事前に画像データ間の類似度を計算しておくことで、変更対象画像データ選択部１１で選択された画像データとの類似度が所定のしきい値よりも大きい画像データを短時間で検索することができ、編集時における類似度を計算するという計算処理負荷が軽減されることから、レスポンスを高く維持することが可能となる。
【００４７】
一方、検索画像表示部１６における表示手段についても様々な手段が考えられる。例えば、サイト編集者が画像データを変更しようとするタイミングで、同一の画像データ、あるいは類似している画像データがコンテンツデータ内に存在することを警告する手段を付加することも考えられる。
【００４８】
この場合、変更対象画像データ選択部１１では、サイト編集者が編集対象となる画像データを選択したタイミングで、すなわち画像データファイルを開く、あるいは当該画像データに対して修正操作を行う等の操作が行われたタイミングで、当該画像データをキー画像として同一あるいは類似している画像データを検索するよう、画像データ抽出部１４に指示する。画像データ抽出部１４では、コンテンツデータ格納部１７に含まれている全ての画像データに対して同一あるいは類似している画像データが存在するか否かを検索する。具体的には選択された画像データとの間の類似度を計算して、類似度が所定のしきい値よりも大きい画像データが存在するか否かを確認する。
【００４９】
そして、選択された画像データと同一あるいは類似している画像データがコンテンツデータ内に存在する場合には、サイト編集者が操作する編集画面にポップアップウィンドウ等を用いて警告を表示出力する。なお、警告の出力方法は特にこれに限定されるものではなく、音データ等を用いた警告音の出力であっても良いし、警告の表示出力と同時に検索結果自体を表示するものであっても良い。
【００５０】
また、サイト内にファイル名やパス名は異なっているものの、全く同一の画像データが存在し、サイト編集者がそのうちの１つを変更対象として選択した場合に、それら同一の画像データについて一括して変更することも考えられる。
【００５１】
図４は、同一の画像データを一括して変更する場合のウェブサイト編集支援システムの構成図である。図４に示すように、サイト編集者は、変更対象画像データ選択部１１において、変更対象となる画像データを選択する。そして、画像データ抽出部１４では、変更対象として選択された画像データをキー画像として画像データの検索を実行し、類似度が所定のしきい値よりも大きい画像データを同一の画像データであると判断し、コンテンツ管理部３１にそのファイル名やパス名等を出力する。かかる処理における類似度のしきい値は通常よりも高い値を設定することになる。そのようにすることで、同一の画像データのみを抽出することが可能となる。
【００５２】
そして、サイト編集者が編集の対象としている画像データと同一の画像データがコンテンツ格納部１７に存在する場合、コンテンツ管理部３１は、それらの画像データの全てに対して、サイト編集者により行われた変更内容を反映する。具体的には、同一の変更内容を、コンテンツ管理部３１における同一の画像データのファイル名やパス名等により特定される画像データにも反映させる。
【００５３】
もちろん、サイト内にファイル名やパス名が異なっているにもかかわらず、全く同一の画像データがある場合に、それらを１つのファイルとしてサイト編集者の指示した領域に保存しておき、それぞれのページ内で保存された画像データに対して一括して変更内容を反映させることも考えられる。
【００５４】
この場合、サイト編集者は、変更対象画像データ選択部１１においてキー画像となる画像データが選択され、画像データ抽出部１４では、ファイル名やパス名が異なる同一の画像データを検索し、抽出された同一の画像データを検索結果として出力する。
【００５５】
サイト編集者は、抽出された画像データに対して、保存情報としてファイル名やパス名等を指示する。ファイル名やパス名は、連番等、ソフトウェアにより自動的に生成されるものであっても良い。
【００５６】
コンテンツ管理部３１は、同一の画像データを１つの画像ファイルとして、指示されたファイル名やパス名等に従って保存し、各ウェブページにおけるそれらの画像ファイルを指定する記述を、新しい画像ファイルの指定に変換する。このようにすることで、新たな画像ファイルとして指定された画像データに変更を加えるだけで、すべての同一の画像データに対して変更が加えられることになる。
【００５７】
次に、本発明の実施の形態にかかるウェブサイト編集支援システムを実現するプログラムの処理の流れについて説明する。図５に本発明の実施の形態にかかるウェブサイト編集支援システムを実現するプログラムの処理の流れ図を示す。
【００５８】
図５において、まず編集対象となる画像データが選択されると（ステップＳ５０１）、選択された画像データをキー画像として、コンテンツ格納部におけるコンテンツデータに含まれる全ての画像データとの間の画像サイズの関係及び包含関係を検出する。この際、同時に類似度を計算する（ステップＳ５０２）。
【００５９】
次に、編集対象として選択されていない画像データの中から順番に１つずつ画像データを選択して（ステップＳ５０３）、当該画像データについて計算された類似度が所定のしきい値を超えているか否かを判断する（ステップＳ５０４）。類似度が所定のしきい値を超えている場合には（ステップＳ５０４：Ｙｅｓ）、編集対象として選択された画像データと同一あるいは類似している画像データであると判断して（ステップＳ５０５）、選択されている編集対象となる画像データとの画像サイズの関係及び包含関係に基づいて保存する（ステップＳ５０６）。
【００６０】
上述した処理を、サイト内に含まれている全ての画像データについて実行する（ステップＳ５０７）。
【００６１】
そして、編集対象となる画像データに対する編集作業が実施されると、当該変更内容を、編集対象となる画像データとの画像サイズの関係及び包含関係に基づいて保存されている画像データに対して反映させる（ステップＳ５０８）。編集作業は、画像データを直接編集してもよいし、置き換える画像データの指定でもよい。
【００６２】
以上のように本実施の形態によれば、画像データそのものを用いて同一又は類似である画像データを検索することにより、ウェブサイト内に存在する同一あるいは類似である画像データを漏れなく抽出することができるとともに、変更対象として選択された画像データに対する変更内容を他の画像データにも確実に反映させることができることから、変更作業における作業漏れを防止することが可能となる。
【００６３】
以下、本発明の実施例にかかるウェブサイト編集支援システムについて図面を参照しながら説明する。図６に本発明の実施例にかかるウェブサイト編集支援システムにおける編集画面の例示図を示す。図６において、左のウィンドウが編集画面であり、現在ｉｎｄｅｘ．ｈｔｍｌ（トップページ）を編集していることを示している。右のウィンドウはサイトマップを表示するサイトマップ画面であり、サイトにおけるウェブページの構造ツリーが表示されている。
【００６４】
ここで、サイト編集者が、「カタログ」ボタン小の「カタログ」というキーワードを「資料請求」というキーワードに変更しようとする場合を想定する。この場合、サイト編集者が「カタログ」ボタン小を選択すると、画像データを編集するための画面（図６における「画像編集画面」）が開く。
【００６５】
サイト編集者の操作によって編集対象画像データとして「カタログ」ボタンを表示している画像データが選択されると、画像データ「カタログ」ボタン小とサイト内に含まれている他の画像データとの類似度を算出し、類似度の高い画像データを抽出して、抽出された画像データに関する情報をサイトマップ画面上に表示する。
【００６６】
本実施例においては、図６におけるサイトマップ画面で網掛けで示されているウェブページに、当該画像データと類似度が高い画像データが含まれていることを示している。なお、検索結果の表示方法はこれに限定されるものではなく、例えば単純なウェブページ名と画像名のリストとして表示しても良い。表示された検索結果を確認することにより、サイト編集者は、当該画像データに対する変更作業により影響が及ぶウェブページがどの範囲であるのかを把握することが可能となる。
【００６７】
また、サイト編集者が、検索結果として表示されている各ウェブページを閲覧する際に、検索された画像データが反転表示等により明示されることが好ましい。すなわち、図７（ａ）〜（ｃ）では網掛け表示で示しているが、ウェブページ自体を閲覧すると、当該画像データと類似度が高い画像データがどこに位置しているのか確認でき、どの画像データが同一あるいは類似であるのか視覚的に認識することが可能となる。
【００６８】
あるいは、類似している画像データではなく、同一の画像データのみを検索する場合には、図８に示すようにファイル構造として表示することも考えられる。すなわち、図８における右のウィンドウは、画像データが保存されているファイル構造を示すファイル構造画面であり、太実線で囲まれて表示されている画像データが同一の画像データを示しており、網掛け表示されているファイルが同一である画像データを含むウェブページを表すｈｔｍｌファイルを示している。本実施例では、同一の画像データが異なるファイル名で保存されていることがわかる。
【００６９】
そこで、サイト編集者が、同一の画像データに対して同時に変更を行う場合（例えば「カタログ」から「資料請求」と変更する場合）、図９に示すように、同一の画像データを示しているファイルを統合するようにファイル構造自体を変更する。
【００７０】
図９の例では、ファイル構造変更後に、「ＣｏｍｍｏｎＩｍａｇｅｓ」という新たなディレクトリが生成され、当該新たなディレクトリの中に共通の内容を示す画像データファイルとして、「ｃａｔａｌｏｇ＿ｂｕｔｔｏｎ＿ｓｍａｌｌ．ｂｍｐ」が生成されている。この際、変更される画像データを含むｈｔｍｌファイルについても同時に変更される。
【００７１】
かかる構成により、１つの画像データファイル「ｃａｔａｌｏｇ＿ｂｕｔｔｏｎ＿ｓｍａｌｌ．ｂｍｐ」に対して変更作業を行うだけで、すべてのｈｔｍｌファイルについて同一の変更内容が反映され、変更作業漏れが生じることがなく、効率的に編集作業を行うことが可能となる。
【００７２】
なお、本発明の実施の形態にかかるウェブサイト編集支援システムを実現するプログラムは、図１０に示すように、ＣＤ−ＲＯＭ１０２−１やフレキシブルディスク１０２−２等の可搬型記録媒体だけでなく、通信回線の先に備えられた他の記憶装置１０１や、コンピュータ１０３のハードディスクやＲＡＭ等の記録媒体１０４のいずれに記憶されるものであっても良く、プログラム実行時には、プログラムはローディングされ、主メモリ上で実行される。
【００７３】
また、本発明の実施の形態にかかるウェブサイト編集支援システムにより生成された類似度データ等についても、図１０に示すように、ＣＤ−ＲＯＭ１０２−１やフレキシブルディスク１０２−２等の可搬型記録媒体１０２だけでなく、通信回線の先に備えられた他の記憶装置１０１や、コンピュータ１０３のハードディスクやＲＡＭ等の記録媒体１０４のいずれに記憶されるものであっても良く、例えば本発明にかかるウェブサイト編集支援システムを利用する際にコンピュータ１０３により読み取られる。
【００７４】
（付記１）  ウェブサイトで使用されるコンテンツデータを格納するコンテンツデータ格納部と、
前記コンテンツデータに含まれる複数の画像データの中から１つの画像データを選択する変更対象画像データ選択部と、
選択された前記画像データをキー画像として、前記コンテンツデータに含まれる他の画像データとの間の包含関係及び画像サイズの関係を検出し、前記包含関係及び画像サイズの関係に基づいて両画像データ間の類似度を計算する類似度算出部と、
前記類似度が所定のしきい値よりも大きい前記画像データを検出する画像データ検出部と、
検出された画像データを前記包含関係及び画像サイズの関係に基づいて管理する検索画像管理部とを含み、
選択された前記画像データに対する変更内容を、前記検索画像管理部で管理されている他の画像データにも反映させることを特徴とするウェブサイト編集支援システム。
【００７５】
（付記２）  前記画像データ検出部において検出された画像データを、前記包含関係及び画像サイズの関係に基づいて分類して表示する検索画像表示部と、
分類されている画像データから１又は複数の変更対象画像データを選択する変更対象画像データ再選択部をさらに含み、
前記画像データ間の前記関係を確認しながら、変更範囲を選択することができる付記１に記載のウェブサイト編集支援システム。
【００７６】
（付記３）  前記類似度算出部において事前に任意のタイミングで計算された前記コンテンツデータ格納部に格納されている全画像データ間の類似度を格納する類似度格納部をさらに含み、
前記画像データ検出部において、前記類似度格納部に格納された全画像データ間の類似度を参照して、前記変更対象画像データ選択部において選択された前記画像データと類似度の高い画像を検出する付記１又は２に記載のウェブサイト編集支援システム。
【００７７】
（付記４）  ウェブサイト内において、同一の画像データであり、かつファイル名が異なる画像データの存在を管理するコンテンツ管理部をさらに含み、
１つの画像データに対する変更内容を、前記コンテンツ管理部で管理されている他の同一の画像データにも反映させる付記１から３のいずれか一項に記載のウェブサイト編集支援システム。
【００７８】
（付記５）  ウェブサイトで使用されるコンテンツデータを格納する工程と、
前記コンテンツデータに含まれる複数の画像データの中から１つの画像データを選択する工程と、
選択された前記画像データをキー画像として、前記コンテンツデータに含まれる他の画像データとの間の包含関係及び画像サイズの関係を検出し、前記包含関係及び画像サイズの関係に基づいて両画像データ間の類似度を計算する工程と、
前記類似度が所定のしきい値よりも大きい前記画像データを検出する工程と、
検出された画像データを前記包含関係及び画像サイズの関係に基づいて管理する工程とを含み、
選択された前記画像データに対する変更内容を、管理されている他の画像データにも反映させることを特徴とするウェブサイト編集支援方法。
【００７９】
（付記６）  ウェブサイトで使用されるコンテンツデータを格納するステップと、
前記コンテンツデータに含まれる複数の画像データの中から１つの画像データを選択するステップと、
選択された前記画像データをキー画像として、前記コンテンツデータに含まれる他の画像データとの間の包含関係及び画像サイズの関係を検出し、前記包含関係及び画像サイズの関係に基づいて両画像データ間の類似度を計算するステップと、
前記類似度が所定のしきい値よりも大きい前記画像データを検出するステップと、
検出された画像データを前記包含関係及び画像サイズの関係に基づいて管理するステップとを含むウェブサイト編集支援方法を具現化するコンピュータ実行可能なプログラムであって、
選択された前記画像データに対する変更内容を、管理されている他の画像データにも反映させることを特徴とするコンピュータ実行可能なプログラム。
【００８０】
【発明の効果】
以上のように本発明にかかるウェブサイト編集支援システムによれば、社名や製品名のロゴ、機能を表すアイコン等、サイト内の画像データを変更する際、ファイル名に依存することなく同一の画像データを抽出することができ、変更作業による影響範囲を的確に把握することができ、修正漏れを未然に防止することが可能となる。
【図面の簡単な説明】
【図１】本発明の実施の形態にかかるウェブサイト編集支援システムを用いたウェブサイト編集システムの全体構成図
【図２】本発明の実施の形態にかかるウェブサイト編集支援システムにおける検索画像管理部に保存されるデータ構成の例示図
【図３】本発明の実施の形態にかかるウェブサイト編集支援システムの構成図
【図４】本発明の実施の形態にかかるウェブサイト編集支援システムの他の構成図
【図５】本発明の実施の形態にかかるウェブサイト編集支援システムにおける処理の流れ図
【図６】本発明の実施の形態にかかるウェブサイト編集支援システムにおける画面表示の例示図
【図７】本発明の実施の形態にかかるウェブサイト編集支援システムにおける画面表示の例示図
【図８】本発明の実施の形態にかかるウェブサイト編集支援システムにおける画面表示の例示図
【図９】本発明の実施の形態にかかるウェブサイト編集支援システムにおける画面表示の例示図
【図１０】コンピュータ環境の例示図
【符号の説明】
１１  変更対象画像データ選択部
１２  類似度計算部
１３  類似度格納部
１４  画像データ抽出部
１５  検索画像管理部
１６  検索画像表示部
１７  コンテンツデータ格納部
２１  ウェブサーバ
２２  インターネット
２３  ユーザ端末
２４  画像データ編集部
３１  コンテンツ管理部
１０１  回線先の記憶装置
１０２  ＣＤ−ＲＯＭやフレキシブルディスク等の可搬型記録媒体
１０２−１  ＣＤ−ＲＯＭ
１０２−２  フレキシブルディスク
１０３  コンピュータ
１０４  コンピュータ上のＲＡＭ／ハードディスク等の記録媒体
【図１】
2004334530.tif 000003
【図２】
2004334530.tif 000004
【図３】
2004334530.tif 000005
【図４】
2004334530.tif 000006
【図５】
2004334530.tif 000007
【図６】
2004334530.tif 000008
【図７】
2004334530.tif 000009
【図８】
2004334530.tif 000010
【図９】
2004334530.tif 000011
【図１０】
2004334530.tif 000012